(57)【特許請求の範囲】
【請求項１】
自装置の上下反転を検知する検知部と
前記検知部による前記検知がなされた場合に、自装置の識別情報または、自装置が上下反転された時点から計時する時間幅を特定する情報を含む所定の信号を無線送信する無線送信部と
を有する、上下反転された時点からの時間経過の度合いを現示する計時デバイスと、
前記所定の信号を受信する受信部と
前記受信部が受信した前記所定の信号により、前記計時デバイスが動作状態に変化したと判断される場合に、前記計時デバイスとは異なる所定の装置に対して、前記所定の信号により特定される制御シナリオに応じた制御信号の送信を開始し、前記受信部が受信した前記所定の信号により、前記計時デバイスが非動作状態に変化したと判断される場合に、前記所定の装置に対する制御の終了を示す信号を送信する送信部と
を有するコンピュータと、
を有することを特徴とする、制御システム。
【請求項２】
前記所定の装置は、前記デバイスが配置されている空間に対する空調機器、音響機器、照明機器のいずれかであることを特徴とする、請求項１記載の制御システム。
【請求項３】
前記所定の装置は、前記デバイスが配置されている空間に対する空調機器、音響機器、照明機器のうちの２以上の機器であることを特徴とする、請求項１又は２記載の制御システム。
【請求項４】
前記計時デバイスは、粉粒体または液体を用いて前記時間経過の度合いを現示することを特徴とする、請求項１〜３のいずれか１項に記載の制御システム。
【請求項５】
前記無線送信部が送信する前記信号は、前記計時デバイスの識別子であり、
前記コンピュータの送信部は、前記受信部が受信した前記計時デバイスの識別子と対応付けて記憶している１以上の前記所定の装置に対して、前記制御信号の送信を開始することを特徴とする、請求項１〜４のいずれか１項に記載の制御システム。
【請求項６】
前記無線送信部が送信する前記所定の信号は、制御シナリオを特定可能な情報を含み、
前記コンピュータの送信部は、前記受信部が受信した前記所定の信号に基づいて特定した、前記コンピュータに記憶されている複数の制御シナリオのうちのいずれかの制御シナリオに応じた前記制御信号の送信を開始することを特徴とする、請求項１〜５のいずれか１項に記載の制御システム。
【請求項７】
前記コンピュータはさらに、所定の装置が配置された施設が使用中であるか否かの状態を管理する制御部を有し、前記受信部が受信した前記所定の信号により、前記計時デバイスが動作状態に変化したと判断される場合に、前記施設の状態を、使用中である旨を示す状態に更新することを特徴とする、請求項１〜６のいずれか１項に記載の制御システム。
【請求項８】
前記受信部が受信した前記所定の信号により、前記計時デバイスが非動作状態に変化したと判断される場合に、前記施設の状態を、未使用である旨を示す状態に更新することを特徴とする、請求項７記載の制御システム。
【請求項９】
計時デバイスから計時の開始に応じて送信される信号を受信し、
時間幅に対応づけて動作制御シナリオを記憶する記憶部を参照して、受信した前記信号に基づいて特定された時間幅に応じた動作制御シナリオを特定し、
特定した前記動作制御シナリオに従って、所定の装置に対して前記時間幅内で複数回送信する各制御信号の種類および送信タイミングを制御する、
ことを特徴とするコンピュータにおける処理方法。
【発明の詳細な説明】
【技術分野】
【０００１】
本発明は、制御システム，計時デバイスおよび処理方法に関する。
【背景技術】
【０００２】
例えば、砂時計のように、時間インターバルの開始時から開口部を通流した媒体の量によって、時間インターバルに通過した媒体の量によって時間インターバルを表示する時間表示装置が知られている。
【先行技術文献】
【特許文献】
【０００３】
【特許文献１】特表２００３−５２８３２７号公報
【発明の概要】
【発明が解決しようとする課題】
【０００４】
しかしながら、このような従来の時間表示装置は、単に時間の経過を表示するものでしかなく、環境を構成する機器等に対して時間の経過に応じた制御を行なうことはできない。
１つの側面では、本発明は、環境を構成する装置に対して時間の経過に応じた制御を行なうことができるようにすることを目的とする。
【課題を解決するための手段】
【０００５】
このため、この制御システムは、自装置の上下反転を検知する検知部と前記検知部による前記検知がなされた場合に、自装置の識別情報または、自装置が上下反転された時点から計時する時間幅を特定する情報を含む所定の信号を無線送信する無線送信部とを有する、上下反転された時点からの時間経過の度合いを現示する計時デバイスと、前記所定の信号を受信する受信部と、前記受信部が受信した前記所定の信号により、前記計時デバイスが動作状態に変化したと判断される場合に、前記計時デバイスとは異なる所定の装置に対して、前記所定の信号により特定される制御シナリオに応じた制御信号の送信を開始し、前記受信部が受信した前記所定の信号により、前記計時デバイスが非動作状態に変化したと判断される場合に、前記所定の装置に対する制御の終了を示す信号を送信する送信部とを有するコンピュータとを有する。
【発明の効果】
【０００６】
一実施形態によれば、環境を構成する装置に対して時間の経過に応じた制御を行なうことができる。
【図面の簡単な説明】
【０００７】
【図１】第１実施形態の一例としての環境制御システムの構成を模式的に示す図である。
【図２】第１実施形態の一例としての環境制御システムにおける計時デバイスの外観を例示する斜視図である。
【図３】第１実施形態の一例としての環境制御システムにおける計時デバイスの側面図である。
【図４】第１実施形態の一例としての環境制御システムにおける計時デバイスのハードウェア構成図である。
【図５】第１実施形態の一例としての環境制御システムにおける計時デバイスの機能構成図である。
【図６】第１実施形態の一例としての環境制御システムにおける管理サーバのハードウェア構成を例示する図である。
【図７】第１実施形態の一例としての環境制御システムの計時デバイスにおける処理を説明するフローチャートである。
【図８】第１実施形態の一例としての環境制御システムの管理サーバにおける処理を説明するフローチャートである。
【図９】第２実施形態の一例としての環境制御システムの構成を模式的に示す図である。
【発明を実施するための形態】
【０００８】
以下、図面を参照して本制御システムおよび処理方法に係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形（実施形態及び各変形例を組み合わせる等）して実施することができる。又、各図は、図中に示す構成要素のみを備えるという趣旨ではなく、他の機能等を含むことができる。
【０００９】
（１）第１実施形態
（１−１）構成
図１は第１実施形態の一例としての環境制御システム１の構成を模式的に示す図である。
環境制御システム１は、空間に配置された装置を制御することで、空間における環境を任意な状態に設定する。
【００１０】
環境制御システム１は、図１に示すように、１つ以上の計時デバイス３０と管理サーバ１０とを備える。
（１−１−１）部屋
図１においては、環境制御の対象の空間の例として複数の部屋２が示されており、環境制御システム１は、これらの部屋（施設）２の環境を管理する。計時デバイス３０は各部屋２にそれぞれ１つずつ配置されている。
【００１１】
部屋２は、複数の利用者によって共用され、各利用者は割り当てられた時間内で部屋２を利用する。
図１に例示する環境制御システム１においては、複数の部屋２は互いに同様の構成を有しており、各部屋２には、照明機器２１，プロジェクタ２２，スクリーン２２ａ，音響機器２３および空調機器２４がそれぞれ備えられている。
【００１２】
照明機器２１，プロジェクタ２２，音響機器２３および空調機器２４は、それぞれ後述する管理サーバ１０と無線もしくは有線で通信可能に接続されている。
そして、管理サーバ１０は、これらの照明機器２１，プロジェクタ２２，音響機器２３および空調機器２４の動作を制御する。すなわち、これらの照明機器２１，プロジェクタ２２，音響機器２３および空調機器２４が、本環境制御システム１における制御対象機器（所定の機器）である。
【００１３】
照明機器２１は部屋２内に光を照射する装置である。また、照明機器２１は、明るさを任意に変更可能な調光機能と、色合いを任意に変更可能な調色機能とを備える。照明機器２１における調光機能および調色機能は、後述する管理サーバ１０の照明制御部１０４によって制御される。なお、照明機器２１における調光機能および調色機能は既知の手法により実現することができ、その説明は省略する。
【００１４】
プロジェクタ２２は、映像（画像）を投影することにより表示する映像投影装置である。本環境制御システム１においては、プロジェクタ２２は、各部屋２の壁面等に備えられたスクリーン２２ａに映像を投影する。
なお、プロジェクタ２２が投影する映像には、動画像と静止画像とが含まれるものであり、以下、映像もしくは画像という場合には動画像と静止画像とが含まれるものとする。
【００１５】
プロジェクタ２２が投影する映像は、例えば、管理サーバ１０のコンテンツ再生部１０５から投影指示とともに送信され、プロジェクタ２２は、管理サーバ１０からの指示に従って、映像の投影を行なう。
なお、プロジェクタ２２に、コンピュータや映像再生装置を接続し、プロジェクタ２２がこれらの装置によって再生される画像や映像を投影してもよい。また、管理サーバ１０は、プロジェクタ２２に接続されたこれらのコンピュータや映像再生装置を制御して、プロジェクタ２２に映像を投影させてもよい。
【００１６】
音響機器２３は、音を出力する装置である。本環境制御システム１においては、音響機器２３は、各部屋２の壁面等に備えられた図示しないスピーカー等を介して、音楽や効果音（以下、音楽等という場合がある）を出力（再生）する。音響機器２３が再生する音楽や効果音は、例えば、管理サーバ１０のコンテンツ再生部１０５から再生指示とともに送信され、音響機器２３は、管理サーバ１０からの指示に従って、音楽や効果音を出力させる。なお、音響機器２３に、コンピュータや音楽再生装置を接続し、音響機器２３がこれらの装置によって再生される音楽や効果音を出力してもよい。また、管理サーバ１０は、音響機器２３に接続されたこれらのコンピュータや音楽再生装置を制御して、音響機器２３に音楽や効果音を出力させてもよい。
【００１７】
空調機器２４は、部屋２の気温や湿度を調整する機器である。空調機器２４は、管理サーバ１０の空調制御部１０６に従って、部屋２内を任意の気温や湿度に設定・維持する。なお、部屋２に気温や湿度を任意に入力可能な操作パネルを備え、空調機器２４はこの操作パネルによって行なわれた入力操作に応じて、部屋２内の温度や湿度を設定・維持してもよい。
【００１８】
これらの照明機器２１，プロジェクタ２２，音響機器２３および空調機器２４には、それぞれを特定可能な識別情報（識別子）が設定されており、後述する管理サーバ１０の機器管理部１１０によって管理されている。
また、各部屋２には、計時デバイス３０が備えられる。
（１−１−２）計時デバイス
図２は第１実施形態の一例としての環境制御システム１における計時デバイス３０の外観を例示する斜視図、図３はその側面図、図４はそのハードウェア構成図、図５はその機能構成図である。
【００１９】
計時デバイス３０は、利用者が部屋２を利用する時間を測定するために用いる。また計時デバイス３０は、部屋２の利用者が部屋２の環境（演出）を好みや利用目的に応じて設定するために用いられる。
計時デバイス３０は、図３に示すように、第１容器３０１ａ，第２容器３０１ｂおよびカバー３０２を備える。第１容器３０１ａおよび第２容器３０１ｂは、それぞれ中空で、例えば略円錐形を有し、これらの各先端位置において連結されており、これにより、第１容器３０１ａと第２容器３０１ｂとが連通している。すなわち、第１容器３０１ａと第２容器３０１ｂとは中央がくびれた管を構成する。
【００２０】
また、少なくとも第１容器３０１ａはガラスや透明樹脂等の透過性を有する材質で構成されており、その内部で砂等が落下している様子を視認可能な状態になっている。そして、第１容器３０１ａおよび第２容器３０１ｂの内部には粉粒体の一例としての砂３１０が封入される。これにより、第１容器３０１ａおよび第２容器３０１ｂは砂時計を構成する。
【００２１】
以下、第１容器３０１ａが上方に位置した姿勢を正立状態といい、第２容器３０１ｂが上方に位置した状態を倒立状態という。
利用者が、部屋２の利用開始時に、正立状態の計時デバイス３０を上下反転させ、倒立状態にすることで、第１容器３０１ａへの砂３１０の落下が開始される。すなわち、正立状態の計時デバイス３０を上下反転させて倒立状態にすることが、計時デバイス３０による計時開始に相当する。すなわち、計時デバイス３０は、倒立状態がその動作状態であると言える。
【００２２】
第２容器３０１ｂは、第１容器３０１ａと同様にガラスや透明樹脂等の透過性を有する材質で構成されていてもよい。そして、第２容器３０１ｂの中にどの位の砂等が溜まっているかを視認可能な状態にしてもよい。また第２容器３０１ｂは、例えば擦りガラスや半透明樹脂等のように光は透過するが容器内は見えないような半透過性を有する材質で構成されていてもよい。そして、第２容器３０１ｂの中に光源を設け、動作状態、すなわち、第２容器３０１ｂが上側にある時、第２容器３０１ｂを光らせる等、動作状態であることが一目でわかるような状態にしてもよい。
【００２３】
一方、利用者が、倒立状態の計時デバイス３０を上下反転させ、正立状態にすることで、第１容器３０１ａへの砂３１０の落下が停止する。すなわち、倒立状態の計時デバイス３０を上下反転させて正立状態にすることが、計時デバイス３０による計時終了に相当する。すなわち、計時デバイス３０は、正立状態がその非動作状態であると言える。
本環境制御システム１においては、利用者は、部屋２の使用中には計時デバイス３０を倒立状態にし、部屋２の使用を終了する際に、計時デバイス３０を正立状態にすることが約束付けられるものとする。
【００２４】
すなわち、利用者が計時デバイス３０を倒立状態にすることで、部屋２の使用が開始されることを意味し、計時デバイス３０を正立状態に戻すことで、部屋２の使用が終了することを意味するのである。
また、計時デバイス３０において、第２容器３０１ｂから落下して第１容器３０１ａに堆積した砂３１０の量が、計時デバイス３０を上下反転させて倒立状態にしてからの経過時間を表す。従って、計時デバイス３０は、上下反転された時点からの時間経過の度合いを現示する。
【００２５】
部屋２の利用者は、計時デバイス３０による計時開始後、第１容器３０１ａに堆積した砂３１０の量で、経過時間を把握することができる。
なお、計時デバイス３０においては、部屋２の一般的な使用時間（例えば１〜２時間程度）を経過するまでに、砂３１０が第１容器３０１ａに落ち切らないように、第１容器３０１ａと第２容器３０１ｂとの間の連通口径や砂３１０の量を設定することが望ましい。
【００２６】
また、本環境制御システム１においては、第１容器３０１ａおよび第２容器３０１ｂに砂３１０を封入する例を示しているが、これに限定されるものではなく、流体が封入されればよい。すなわち、砂に代えて、粉粒体として他の粉末を封入してもよく、また、粉粒体に代えて液体を封入してもよく、種々変形して実施することができる。
また、第１容器３０１ａと第２容器３０１ｂとの連結位置には、砂３１０の移動（流通）を任意に調節可能な流量調節部３０６が配置されている。流量調節部３０６は、第１容器３０１ａと第２容器３０１ｂとを連結する開口の大きさを任意に変更可能な弁やシャッター等の機構（図示省略）を有する。
【００２７】
この流量調節部３０６が、例えば第１容器３０１ａと第２容器３０１ｂとの間の開口を閉鎖することで、第１容器３０１ａと第２容器３０１ｂとの間における砂３１０の移動が抑止され、砂３１０の落下が停止される。また、流量調節部３０６が、第１容器３０１ａと第２容器３０１ｂとの連通部分の開口を大きくすることで、第１容器３０１ａと第２容器３０１ｂとの間における砂３１０の流量が増加する。これにより、一方の容器（例えば第２容器３０１ｂ）から他方の容器（例えば第１容器３０１ａ）への砂３１０の移動に要する時間を短縮することができる。例えば、流量調節部３０６により計時すべき時間長にあわせて開口の大きさを制御し、計時すべき時間長の終了時点で、全ての砂等が第２容器３０１ｂから第１容器３０１ａへ落下し終えるようにしてもよい。また例えば、倒立状態から正立状態に変更された場合、すなわち、動作状態から非動作状態に変更された場合に、流量調節部３０６により開口を最大化させて、第１容器３０１ａへ落下した砂等が迅速に第２容器３０１ｂ内へ戻るようにしてもよい。
【００２８】
また、第２容器３０１ｂやカバー３０２には図示しないＬＥＤ（Light Emitting Diode）が備えられ、倒立状態においては、このＬＥＤが点灯するようになっている。これにより、利用者は、計時デバイス３０が倒立状態であるか正立状態であるかを容易に把握することができる。
カバー３０２には、流量調節部３０６による開口の大きさを任意に操作するための図示しない操作スイッチが配置されており、オペレータがこの操作スイッチを操作することで、第１容器３０１ａと第２容器３０１ｂとの間における砂３１０の移動を任意に操作することができる。
【００２９】
また、流量調節部３０６による開口の大きさは、マイコン部３０７からの制御により変更することもできる。
カバー３０２は、第１容器３０１ａと第２容器３０１ｂとの連結部分を環囲するように構成されている。また、このカバー３０２には、図４に示す、加速度センサ３０３，ＬＥＤ３０４，入力スイッチ３０５，マイコン部３０７，ＢＬＥ〔Bluetooth（登録商標） Low Energy〕モジュール３０８およびメモリ３０９等が配置されている。
【００３０】
加速度センサ３０３は、例えば３軸加速度センサであり、重力や傾きを検出することができる。これにより、加速度センサ３０３は、例えば、重力方向の検知や計時デバイス３０の姿勢変化を検知する。
例えば、オペレータが計時デバイス３０を１８０度回転させると、加速度センサ３０３は、計時デバイス３０が上下反転されたことを検知する（上下反転検知，回転検知）。さらに、加速度センサ３０３は、外部から計時デバイス３０に与えられた衝撃を検知することもできる。加速度センサ３０３による検出結果はマイコン部３０７に入力される。
【００３１】
入力スイッチ３０５は、オペレータが入力操作を行なうものであり、例えば、ボタンスイッチである。オペレータは、この入力スイッチ３０５を用いて、例えば、演出モードの入力操作（設定入力）を行なう。
演出モードは、部屋２内の環境に対して行なわれる演出の種類を示す。本環境制御システム１においては、複数（本実施形態では４種類）の演出モードを備え、オペレータが入力スイッチ３０５を用いて、これらの複数種類の演出モードの中からいずれかのモードを選択する。本実施形態においては、以下に示す４種類の演出モードが用意されるものとする。
【００３２】
演出モード１：森
演出モード２：海
演出モード３：カフェ
演出モード４：図書館
部屋２においては、照明機器２１，プロジェクタ２２および音響機器２３を用いて、上述した演出モードに応じた演出が行なわれる。
【００３３】
具体的には、演出モード１（森）においては、例えば、プロジェクタ２２によりスクリーン２２ａに森の風景の画像（静止画）や映像（動画）が投影されるとともに、音響機器２３から小鳥のさえずりや木々のざわめき等の効果音が流される。
演出モード２（海）においては、例えば、プロジェクタ２２によりスクリーン２２ａに海辺の風景の画像や映像が投影されるとともに、音響機器２３から波音等の効果音が流される。また、照明機器２１により部屋２内を明るくするよう調整される。
【００３４】
演出モード３（カフェ）においては、例えば、プロジェクタ２２によりスクリーン２２ａにカフェ内の風景の画像や映像が投影されるとともに、音響機器２３からジャズやクラッシック等の音楽がＢＧＭとして再生される。また、照明機器２１により部屋２内を薄暗く、且つ暖色系の色合いの光で照らすことで、部屋２内を落ち着いた雰囲気にするよう調整される。
【００３５】
演出モード４（図書館）においては、例えば、プロジェクタ２２によりスクリーン２２ａに図書館内の風景の画像や映像が投影される一方で、音響機器２３からの音楽や効果音の出力は抑止される。また、照明機器２１により部屋２内を薄暗く、落ち着いた雰囲気にするよう調整される。
また、オペレータは、入力スイッチ３０５を用いて、計時時間の設定入力を行なう。計時時間は、上述した演出モードが実現される期間であり、オペレータが部屋２を使用する時間（例えば、３０分，６０分，９０分，１２０分）を入力する。後述する管理サーバ１０においては、この計時時間が経過するまで測定（計時）が行なわれる。従って、入力スイッチ３０５を介して入力される計時時間は、当該計時デバイス３０が上下反転された時点から計時する時間幅に相当する。
【００３６】
さらに、オペレータは、入力スイッチ３０５を用いて、入力のリセットを行なうこともできる。
入力スイッチ３０５により入力された演出モードおよび計時時間は、図示しないメモリ（ステータス管理部３７；図５参照）の所定の領域に格納される。
なお、入力スイッチ３０５の具体的な仕様は形状、入力方法等は、適宜変更して実施することができ、その詳細な説明は省略する。例えば、入力スイッチ３０５として、複数のスイッチを備えるとともに、各スイッチにそれぞれ機能を割り当て、入力操作が行なわれたスイッチに対応する機能についての入力が行なわれたと判断してもよい。また、一のスイッチに複数の機能を割り当てるとともに、複数種類の入力操作（例えば、ボタンの押下時間や押下回数）にそれぞれ機能を割り当て、スイッチに対して行なわれる操作に対応する機能についての入力が行なわれたと判断してもよい。また、第１容器３０１ａ，第２容器３０１ｂに対してカバー３０２を回転可能にし、角度に応じ複数種類の入力機能を割り当ててもよい。この場合は、ユーザがカバー３０２を回転することで、もしくは、第１容器３０１ａ，第２容器３０１ｂの方をカバー３０２に対して回転することで入力されることになる回転角度に応じて、個別の入力信号が生成されることになる。
【００３７】
入力スイッチ３０５には、上述した流量調節部３０６の操作スイッチとして機能するものも含まれる。
ＬＥＤ３０４は、マイコン部３０７による制御に従って発光する。カバー３０２には、１つ以上のＬＥＤが備えられる。本環境制御システム１においては、ＬＥＤ３０４が所定の色で発光したり、所定のパターンで明滅したり、また、複数備えられたＬＥＤ３０４のうち特定のＬＥＤ３０４が発光したりすることで、種々の情報を提示する機能を実現する。
【００３８】
例えば、カバー３０２に複数色（例えば、赤，黄色，青，緑の４色）のＬＥＤ３０４を備え、上述した入力スイッチ３０５によって入力された演出モードに応じて、後述するマイコン部３０７がこれらの複数色のいずれかのＬＥＤ３０４を発光させることで、選択された演出モードの状態を表す。
また、例えば、カバー３０２に、複数のＬＥＤ３０４を並べて配置し、オペレータが入力スイッチ３０５によって入力した計時時間に応じた数のＬＥＤ３０４を発光させることで、設定された計時時間を表す。
【００３９】
ＢＬＥモジュール３０８は、管理サーバ１０との間で無線通信を行なう通信モジュールであり、後述する管理サーバ１０のＢＬＥモジュール１９との間でＢＬＥによる通信を行なう。
メモリ３０９には、データやプログラムが格納される。メモリ３０９の所定の領域には、例えば、計時デバイス３０を特定する識別情報（識別子）や、入力スイッチ３０５により入力された演出モードおよび計時時間が記憶される。
【００４０】
マイコン部３０７は、計時デバイス３０の機能を制御するものであり、図５に示す、加速度センサ判断部３１，入力判断部３２，イベント発生判断部３３，計時処理部３４，ＢＬＥ処理部３５，ＬＥＤ処理部３６およびステータス管理部３７としての機能を実現する。
マイコン部３０７は、集積回路に実装された処理装置であり、例えば、図示しないＣＰＵ（Central Processing Unit）コアを備える。
【００４１】
そして、ＣＰＵコアが、メモリ３０９に記録されたプログラムを実行することにより、図５に示す、加速度センサ判断部３１，入力判断部３２，イベント発生判断部３３，計時処理部３４，ＢＬＥ処理部３５，ＬＥＤ処理部３６およびステータス管理部３７として機能する。
なお、マイコン部３０７のＣＰＵコアに実行させる処理内容を記述したプログラムを、メモリカード等の非一時的な可搬型記録媒体に記録しておくこともできる。可搬型記録媒体に格納されたプログラムは、例えばＣＰＵコアからの制御により、メモリ３０９に読み出された後、実行可能になる。また、ＣＰＵコアが、可搬型記録媒体から直接プログラムを読み出して実行することもできる。
【００４２】
加速度センサ判断部３１は、加速度センサ３０３から入力される検出結果に基づき、計時デバイス３０の姿勢や状態変化を判断する。
例えば、加速度センサ３０３は、計時デバイス３０が１８０度回転されて上下反転されたことを判断する（上下反転判断）。すなわち、加速度センサ３０３は、自装置の上下反転を検知する検知部として機能する。
【００４３】
また、加速度センサ判断部３１は、計時デバイス３０における第１容器３０１ａ側と第２容器３０１ｂ側とのいずれが上方に位置する姿勢であるかを判断する（姿勢検知，上下判断）。
本環境制御システム１においては、正立状態の計時デバイス３０を上下反転させて倒立状態にすることが計時開始を意味する入力操作に相当する。このような入力操作に応じて、第２容器３０１ｂから第１容器３０１ａへの砂３１０の移動が行なわれる。
【００４４】
一方、倒立状態の計時デバイス３０を１８０度回転させて正立状態にすることが計時停止を意味する入力操作に相当する。このような入力操作に応じて、第１容器３０１ａから第２容器３０１ｂへの砂３１０の移動が行なわれる。
加速度センサ判断部３１により行なわれた判断結果は、イベント発生判断部３３に入力される。
【００４５】
入力判断部３２は、入力スイッチ３０５を介して行なわれる入力操作を判断する。例えば、入力判断部３２は、入力スイッチ３０５が押下されたことを判断するプッシュ判断や、長押しされたことを判断する長押し判断等を行なう。
入力判断部３２による判断結果は、イベント発生判断部３３に入力される。
イベント発生判断部３３は、加速度センサ判断部３１および入力判断部３２から入力される判断結果に基づき、各種イベントの発生を判断する。
【００４６】
例えば、イベント発生判断部３３は、入力判断部３２によって判断された入力スイッチ３０５の入力操作や、加速度センサ判断部３１による判断結果に基づき、計時デバイス３０における種々のイベントの発生を判断する。
例えば、イベント発生判断部３３は、入力スイッチ３０５を介して演出モードや計時時間の設定入力が行なわれたことを判断する。
【００４７】
また、イベント発生判断部３３は、計時デバイス３０が上下反転（１８０度回転）され、計時デバイス３０が倒立状態となったことを加速度センサ判断部３１から入力された場合に、計時開始されたことを判断する。
一方、イベント発生判断部３３は、計時デバイス３０が上下反転され、計時デバイス３０が正立状態となったことを加速度センサ判断部３１から入力された場合に、計時停止されたことを判断する。
【００４８】
また、イベント発生判断部３３は、入力スイッチ３０５を介してリセット入力が行なわれたことを判断する。
計時処理部３４は計時を行なう。例えば、計時処理部３４は、イベント発生判断部３３により計時開始されたと判断されてからの経過時間を測定する。計時処理部３４は、例えば、経過時間が設定入力された計時時間に到達すると、流量調節部３０６により第１容器３０１ａと第２容器３０１ｂとの間の開口を閉鎖することで、砂３１０の落下を停止させる。
【００４９】
ＬＥＤ処理部３６は、ＬＥＤ３０４による発光を制御する。例えば、ＬＥＤ処理部３６は、イベント発生判断部３３が、入力スイッチ３０５を介して演出モードの設定入力が行なわれたことを判断した場合に、入力された演出モードに応じたＬＥＤ３０４を点等させる制御を行なう。
また、ＬＥＤ処理部３６は、イベント発生判断部３３が、入力スイッチ３０５を介して計時時間の設定入力が行なわれたことを判断した場合に、入力された計時時間に応じたＬＥＤ３０４を点等させる制御を行なう。
【００５０】
ステータス管理部３７は、計時デバイス３０の状態を管理する。例えば、ステータス管理部３７は、メモリ３０９に設定されている演出モードや計時時間を読み出すことにより、計時デバイス３０に設定されている状態を確認する。
ＢＬＥ処理部（送信部）３５は、管理サーバ１０との間における無線通信を制御する。例えば、ＢＬＥ処理部３５は、入力スイッチ３０５から入力された演出モードおよび計時時間を、管理サーバ１０に送信する。
【００５１】
ＢＬＥ処理部３５は、イベント発生判断部３３により、計時デバイス３０が上下反転され、計時デバイス３０が倒立状態となったことを判断すると、ステータス管理部３７により確認された、当該計時デバイス３０に設定されている演出モードおよび計時時間を示す情報を、当該計時デバイス３０の識別情報とともに管理サーバ１０に送信する。
なお、計時時間を示す情報は、計時時間そのものであってもよく、また、計時時間に相当する他の情報であってもよく、種々変形して実施することができる。
【００５２】
すなわち、ＢＬＥ処理部３５は、自装置である計時デバイス３０の正立状態において、加速度センサ３０３による、上下反転の検知がなされ、倒立状態となったことが検知された場合に、自装置の識別情報と演出モードと計時時間を示す情報とを含む計時開始通知信号（通知信号，計時開始通知，第一の所定の信号）を管理サーバ１０に無線送信する。
さらに、ＢＬＥ処理部３５は、倒立状態であった計時デバイス３０が上下反転されて、計時デバイス３０が正立状態となったこと、すなわち、計時停止されたことをイベント発生判断部３３により判断されると、計時停止されたことを示す計時停止通知信号（計時停止通知，第二の所定の信号）を、管理サーバ１０に対して無線送信する。
【００５３】
これにより、ＢＬＥ処理部３５は、加速度センサ３０３によって計時デバイス３０の更なる上下反転が検知されると、計時開始通知信号とは異なる、計時停止通知信号（計時停止通知，第二の所定の信号）を送信する。
（１−１−３）管理サーバ
図６は第１実施形態の一例としての環境制御システム１の管理サーバ１０のハードウェア構成を例示する図である。
【００５４】
まず、図６を参照しながら、本第１実施形態の環境制御システム１における管理サーバ１０のハードウェア構成について説明する。
管理サーバ１０は、サーバ機能を備えたコンピュータ（情報処理装置）であり、例えば、プロセッサ１１，ＲＡＭ（Random Access Memory）１２，ＨＤＤ（Hard Disk Drive）１３，グラフィック処理装置１４，入力インタフェース１５，光学ドライブ装置１６，機器接続インタフェース１７，ネットワークインタフェース１８およびＢＬＥモジュール１９を構成要素として有する。これらの構成要素１１〜１８は、バス２０を介して相互に通信可能に構成される。
【００５５】
プロセッサ（処理部）１１は、管理サーバ１０全体を制御する。プロセッサ１１は、マルチプロセッサであってもよい。プロセッサ１１は、例えばＣＰＵ（Central Processing Unit），ＭＰＵ（Micro Processing Unit），ＤＳＰ（Digital Signal Processor），ＡＳＩＣ（Application Specific Integrated Circuit），ＰＬＤ（Programmable Logic Device），ＦＰＧＡ（Field Programmable Gate Array）のいずれか一つであってもよい。また、プロセッサ１１は、ＣＰＵ，ＭＰＵ，ＤＳＰ，ＡＳＩＣ，ＰＬＤ，ＦＰＧＡのうちの２種類以上の要素の組み合わせであってもよい。
【００５６】
ＲＡＭ（記憶部）１２は、管理サーバ１０の主記憶装置として使用される。ＲＡＭ１２には、プロセッサ１１に実行させるＯＳ（Operating System）プログラムやアプリケーションプログラムの少なくとも一部が一時的に格納される。また、ＲＡＭ１２には、プロセッサ１１による処理に必要な各種データが格納される。アプリケーションプログラムには、管理サーバ１０によって本実施形態の環境制御を実現するためにプロセッサ１１によって実行される環境制御プログラムが含まれてもよい。
【００５７】
ＨＤＤ（記憶部）１３は、内蔵したディスクに対して、磁気的にデータの書き込み及び読み出しを行なう。ＨＤＤ１３は、管理サーバ１０の補助記憶装置として使用される。ＨＤＤ１３には、ＯＳプログラム，アプリケーションプログラム、及び各種データが格納される。なお、補助記憶装置としては、フラッシュメモリ等の半導体記憶装置（ＳＳＤ：Solid State Drive）を使用することもできる。
【００５８】
グラフィック処理装置１４には、モニタ１４ａが接続されている。グラフィック処理装置１４は、プロセッサ１１からの命令に従って、画像をモニタ１４ａの画面に表示させる。モニタ１４ａとしては、ＣＲＴ（Cathode Ray Tube）を用いた表示装置や液晶表示装置等が挙げられる。
入力インタフェース１５には、キーボード１５ａおよびマウス１５ｂが接続されている。入力インタフェース１５は、キーボード１５ａやマウス１５ｂから送られてくる信号をプロセッサ１１に送信する。なお、マウス１５ｂは、ポインティングデバイスの一例であり、他のポインティングデバイスを使用することもできる。他のポインティングデバイスとしては、タッチパネル，タブレット，タッチパッド，トラックボール等が挙げられる。
【００５９】
光学ドライブ装置１６は、レーザ光等を利用して、光ディスク１６ａに記録されたデータの読み取りを行なう。光ディスク１６ａは、光の反射によって読み取り可能にデータを記録された可搬型の非一時的な記録媒体である。光ディスク１６ａには、ＤＶＤ（Digital Versatile Disc），ＤＶＤ−ＲＡＭ，ＣＤ−ＲＯＭ（Compact Disc Read Only Memory），ＣＤ−Ｒ（Recordable）／ＲＷ（ReWritable）等が挙げられる。
【００６０】
機器接続インタフェース１７は、管理サーバ１０に周辺機器を接続するための通信インタフェースである。例えば、機器接続インタフェース１７には、メモリ装置１７ａやメモリリーダライタ１７ｂを接続することができる。メモリ装置１７ａは、機器接続インタフェース１７との通信機能を搭載した非一時的な記録媒体、例えばＵＳＢ（Universal Serial Bus）メモリである。メモリリーダライタ１７ｂは、メモリカード１７ｃへのデータの書き込み、またはメモリカード１７ｃからのデータの読み出しを行なう。メモリカード１７ｃは、カード型の非一時的な記録媒体である。
【００６１】
ネットワークインタフェース１８は、図示しないネットワークに接続される。ネットワークインタフェース１８は、ネットワークを介して、他のコンピュータまたは通信機器との間でデータの送受信を行なう。
ＢＬＥモジュール１９は、計時デバイス３０との間で無線通信を行なう通信モジュールであり、計時デバイス３０のＢＬＥモジュール３０８との間でＢＬＥによる通信を行なう。
【００６２】
なお、管理サーバ１０は、例えばコンピュータ読み取り可能な非一時的な記録媒体に記録されたプログラム（環境制御プログラム等）を実行することにより、本実施形態の環境制御機能を実現する。管理サーバ１０に実行させる処理内容を記述したプログラムは、様々な記録媒体に記録しておくことができる。例えば、管理サーバ１０に実行させるプログラムをＨＤＤ１３に格納しておくことができる。プロセッサ１１は、ＨＤＤ１３内のプログラムの少なくとも一部をＲＡＭ１２にロードし、ロードしたプログラムを実行する。
【００６３】
また、管理サーバ１０（プロセッサ１１）に実行させるプログラムを、光ディスク１６ａ，メモリ装置１７ａ，メモリカード１７ｃ等の非一時的な可搬型記録媒体に記録しておくこともできる。可搬型記録媒体に格納されたプログラムは、例えばプロセッサ１１からの制御により、ＨＤＤ１３にインストールされた後、実行可能になる。また、プロセッサ１１が、可搬型記録媒体から直接プログラムを読み出して実行することもできる。
【００６４】
次に、図１を参照しながら、本実施形態の環境制御機能を有する管理サーバ（情報処理装置，コンピュータ）１０の機能構成について説明する。
管理サーバ１０は、各部屋２の環境を制御する機能を果たす。このため、管理サーバ１０は、図１に示すように、少なくとも受信部１０１，タイマ１０２，演出管理部１０３，演出制御部１０９，機器管理部１１０および演出データ格納部１０８としての機能を有している。
【００６５】
そして、図６に示すプロセッサが、上述した環境制御プログラムを実行することで、タイマ１０２，演出管理部１０３，演出制御部１０９，機器管理部１１０および中継部１０７としての機能を果たす。
中継部１０７は、受信部１０１，タイマ１０２，演出管理部１０３および演出制御部１０９の間において、各種データ等の授受を中継する。この中継部１０７としての機能は、例えば、図６に示すバス２０により実現される。
【００６６】
受信部１０１は、計時デバイス３０から送信される、計時デバイス３０の識別情報と演出モードと計時時間を示す情報とを含む計時開始通知信号（通知信号）を受信する。また、受信部１０１は、計時デバイス３０から送信される、計時デバイス３０による計時停止を通知する計時停止通知信号を受信する。
タイマ１０２は、受信部１０１が計時開始通知信号を受信してからの時間を計時する。タイマ１０２は、受信部１０１が計時デバイス３０から計時開始通知信号を受信すると計時を開始し、その計時開始通知信号に含まれる計時時間が経過したことを検知すると、演出制御部１０９に対して通知を行なう。
【００６７】
本環境制御システム１においては、複数の計時デバイス３０が備えられており、タイマ１０２はこれらの複数の計時デバイス３０毎に計時を行なう。
機器管理部１１０は、計時デバイス３０と制御対象機器とを対応付けて管理する。具体的には、機器管理部１１０は、計時デバイス３０の識別情報に対して、当該計時デバイス３０が配置されている部屋２に備えられた１以上の制御対象機器（照明機器２１，プロジェクタ２２，音響機器２３および空調機器２４）の識別情報をそれぞれ対応付けて管理する。
【００６８】
これにより、受信部１０１よって受信された計時デバイス３０の識別情報に基づき、演出制御部１０９が制御を行なう対象である照明機器２１，プロジェクタ２２，音響機器２３および空調機器２４を特定することができる。
演出データ格納部１０８は、１つ以上の演出データ（制御シナリオ）を格納する。演出データは、部屋２に設定される環境を構成するための情報であり、部屋２に備えられる機器は、この演出データに従って制御される。
【００６９】
演出データは前述した演出モードに対応して備えられる。本環境制御システム１においては、前述の如く４種類の演出モード１〜４が用意され、演出データ格納部１０８は、これらの４種類の演出モード１〜４に対応する、４種類の演出データを少なくとも格納する。
各演出データには、照明制御情報、プロジェクタ制御情報，音響制御情報、および空調制御情報が含まれる。
【００７０】
照明制御情報は、照明機器２１の調光機能と調色機能とを用いて部屋２の照明の状態を所望の明るさや色調にするための制御情報であり、例えば、照明機器２１に対して設定される、明るさを制御する調光情報と色合いを制御する調色情報とを備える。
プロジェクタ制御情報は、部屋２のスクリーン２２ａにプロジェクタ２２によって所定の映像を投射させるための制御情報であり、プロジェクタ２２により投影される映像のデータのファイル名やデータの格納位置等の情報を備える。なお、プロジェクタ制御情報として、投影される映像データそのものを含んでもよい。
【００７１】
音響制御情報は、部屋２の音響機器２３に所定の音楽や効果音等を再生させるための制御情報であり、音響機器２３により再生される音楽や効果音のデータ（音響データ）のファイル名やデータの格納位置等の情報を備える。なお、音響制御情報として、再生される音響データそのものを含んでもよい。また、上述した映像データの一部として音響データが備えられていてもよい。
【００７２】
空調制御情報は、例えば、空調制御部１０６に設定されるべき温度や湿度，風量等の情報である。なお、空調制御部１０６に関する制御情報は、これに限定されるものではなく、種々変形して実施することができる。例えば、空調制御部１０６からは空調機器２４に対するオン／オフの制御だけを行ない、空調機器２４の設定温度や湿度、風量等は空調機器２４側に設定された値を用いてもよい。
【００７３】
演出データは前述した演出モード毎に備えられ、演出データ格納部１０８には、演出モードを特定する情報に対応させて、演出モードに応じて適宜設定された照明制御情報、プロジェクタ制御情報，音響制御情報および空調制御情報が、それぞれ関連付けられている。
また、各演出データは、計時時間に応じて複数備えられている。すなわち、複数の計時時間（例えば、３０分，６０分，９０分，１２０分）のそれぞれに応じた演出データが備えられる。
【００７４】
例えば、演出モード３（カフェ）の計時時間６０分用の演出データにおいては、最初の３０分間は音響機器２３から静かな音楽や効果音が流れ、３０分経過後には比較的テンポが速い音楽等が流れるよう、音響機器２３が制御される。
一方で、演出モード３（カフェ）の計時時間９０分用の演出データにおいては、最初の６０分間は音響機器２３から静かな音楽や効果音が流れ、６０分経過後には比較的テンポが速い音楽等が流れるよう、音響機器２３が制御される。
【００７５】
また、これらのような音響機器２３から再生する音楽等の切り換えに同期させて、部屋２内の照明を、落ち着いた暖色系の色合い、且つ、暗めの状態から、明るい状態に切り替えるよう、照明機器２１が制御される。
このような演出を行なうことにより、部屋２を例えば、会議目的に使用する場合に、序盤は落ち着いた雰囲気の中で静かに会議が進行し、会議終了時刻の３０分前からは白熱した議論が展開されるような雰囲気に移行させることができ、限られた部屋２の利用可能時間を有効に用いることができる。
【００７６】
なお、計時時間満了５分前に、蛍の光やチャイム等の終了を知らせる音楽等を再生するとともに、部屋２の照明を最も明るくすることで、部屋２の利用可能時間の終了を利用者に知らせてもよい。
なお、上述した例において、計時時間の途中の所定のタイミングで音響機器２３から出力される音楽等を変更するためには、演出制御部１０９（コンテンツ再生部１０５）は、演出データに従って、所定の時間（例えば、３０分経過時と５５分経過時）が経過した各タイミングで音楽等を変更させるための音響制御情報を送信する。
【００７７】
同様に、計時時間の途中の所定のタイミング（例えば、３０分経過時と５５分経過時）で照明機器２１の明るさや色合いを変更するためには、例えば、演出制御部１０９（照明制御部１０４）は、演出データに従って、３０分経過時点と５５分経過時とのそれぞれのタイミングで明るさや色合いを変更させるための照明制御情報を送信する。即ち、演出制御部１０９は、演出データに従って、所定の装置に対して計時時間幅内で複数回送信する各制御信号の種類および送信タイミングを制御する。
【００７８】
上記例においては、演出データにより、音響機器２３から再生する音楽等を経過時間に応じて変更させる例を示したが、これに限定されるものではない。
演出データは、例えば、プロジェクタ２２によって投影する映像を経過時間に応じて変更させてもよく、また、空調機器２４による部屋２内の温度を、経過時間に応じて変更させてもよく、種々変更して実施することができる。
【００７９】
なお、演出データによる経過時間に応じた制御対象機器に対する制御は種々変形して実施することができる。
演出管理部１０３は、受信部１０１が計時デバイス３０から受信した通知情報に含まれる演出モードおよび計時時間に基づき、これらの演出モードおよび計時時間に対応する演出データを演出データ格納部１０８から読み出す。
【００８０】
演出管理部１０３は、読み出した演出データを、中継部１０７を介して演出制御部１０９に受け渡す。
演出制御部１０９は、演出データを用いて、部屋２に備えられた機器を制御することで、部屋２を演出モードに応じた環境に設定する。
部屋２の環境は、計時デバイス３０が上下反転されて倒立状態になってから、この計時デバイス３０によって設定入力された計時時間が経過するまで、または、再度計時デバイス３０が上下反転されて正立状態になるまでの間、演出データに応じて設定・維持される。
【００８１】
演出制御部１０９は、空調制御部１０６，照明制御部１０４およびコンテンツ再生部１０５としての機能を備え、部屋２に備えられた照明機器２１，空調機器２４，プロジェクタ２２および音響機器２３の複数の機器（制御対象機器）をそれぞれ制御する。
演出制御部１０９は、演出データとタイマ１０２より測定される経過時間とに基づき、制御対象機器に対する制御を行なう。
【００８２】
空調制御部１０６は、部屋２に備えられた空調機器２４を制御する。例えば、空調制御部１０６は、受信部１０１が計時デバイス３０から計時開始通知信号を受信すると、その計時デバイス３０が配置された部屋２の空調機器２４を起動し、空調を行なわせる。この際、空調制御部１０６は、演出管理部１０３から受け渡された演出データに含まれる空調制御情報を空調機器２４に送信し、この空調制御情報を用いて空調機器２４を機能させる。
【００８３】
また、空調制御部１０６は、演出データに従い、空調機器２４に対して適宜制御信号を送信することで、経過時間に応じて部屋２の温度や湿度を切り替えてもよい。
そして、空調制御部１０６は、タイマ１０２から計時時間が経過したことを受信すると、空調機器２４に対して空調の停止を指示する停止指示信号を送信することで、空調を停止させる。
【００８４】
また、空調制御部１０６は、受信部１０１が計時デバイス３０から計時停止通知信号を受信した場合にも、空調機器２４による空調を停止させる。
照明制御部１０４は、部屋２に備えられた照明機器２１を制御する。例えば、照明制御部１０４は、受信部１０１が計時デバイス３０から計時開始通知信号を受信すると、その計時デバイス３０が配置された部屋２の照明機器２１を点灯させ、部屋２内に光を照射させる。この際、照明制御部１０４は、演出管理部１０３から受け渡された演出データに含まれる照明制御情報を照明機器２１に送信し、この照明制御情報を用いて照明機器２１の明るさや色合いを制御して点灯させる。
【００８５】
また、照明制御部１０４は、演出データに従い、照明機器２１に対して適宜制御信号を送信することで、経過時間に応じて部屋２の明るさや色合いを切り替える。
そして、照明制御部１０４は、タイマ１０２から計時時間が経過したことを受信すると、照明機器２１に対して点灯の停止を指示する消灯指示信号（停止指示信号）を送信することで、照明機器２１を消灯させる。
【００８６】
また、照明制御部１０４は、受信部１０１が計時デバイス３０から計時停止通知信号を受信した場合にも、照明機器２１を消灯させる。
コンテンツ再生部１０５は、部屋２に備えられたプロジェクタ２２および音響機器２３を制御して映像データや音声データを再生させる。例えば、コンテンツ再生部１０５は、受信部１０１が計時デバイス３０から計時開始通知信号を受信すると、その計時デバイス３０が配置された部屋２のプロジェクタ２２に、プロジェクタ制御情報によって特定される映像データを通知し再生（投影）させる。
【００８７】
また、コンテンツ再生部１０５は、計時デバイス３０が配置された部屋２の音響機器２３に、音響制御情報によって特定される音声データを通知し再生させる。
コンテンツ再生部１０５は、演出データに従い、プロジェクタ２２に対して適宜映像データや制御信号を送信することで、経過時間に応じて投影させる映像を切り替えてもよい。また、コンテンツ再生部１０５は、演出データに従い、音響機器２３に対して音声データや適宜制御信号を送信することで、経過時間に応じて部屋２に再生する音楽等を切り替えてもよい。
【００８８】
そして、コンテンツ再生部１０５は、タイマ１０２から計時時間が経過したことを受信すると、プロジェクタ２２および音響機器２３に対して映像データや音声データの再生停止を指示する停止指示信号を送信することで、映像データや音声データの再生を停止させる。
また、コンテンツ再生部１０５は、倒立状態であった計時デバイス３０が上下反転され計時停止されたことを示す計時停止通知が、計時デバイス３０から送信された場合にも、プロジェクタ２２および音響機器２３を停止させる。
【００８９】
このように、演出制御部（送信部）１０９は、受信部１０１が受信した計時開始通知信号により、計時デバイス３０が動作状態に変化したと判断される場合に、部屋２に備えられた照明機器２１，空調機器２４，プロジェクタ２２および音響機器２３に対して、演出モードに応じた演出データ（制御信号）の送信を開始する。
そして、演出制御部（送信部）１０９は、受信部１０１が受信した計時停止通知信号により、計時デバイス３０が非動作状態に変化したと判断される場合に、前述した照明機器２１，空調機器２４，プロジェクタ２２および音響機器２３に対する制御の終了を示す信号を送信する。
【００９０】
（１−２）動作
上述の如く構成された第１実施形態の一例としての環境制御システム１における計時デバイス３０における処理を、図７に示すフローチャート（ステップＡ１〜Ａ５）に従って説明する。なお、初期状態において、計時デバイス３０は正立状態で載置されているものとする。
【００９１】
部屋２の利用者による入力スイッチ３０５の操作を受け付けることで、計時デバイス３０の演出モードと計時時間との入力を受け付ける（ステップＡ１）。計時時間は、例えば、部屋２の利用時間である。
また、この際、ＬＥＤ処理部３６は、入力された演出モードおよび計時時間に応じてＬＥＤ３０４を点灯させる。
【００９２】
計時デバイス３０において、入力された演出モードおよび計時時間はメモリ３０９の所定の領域に格納される。
利用者により演出モードおよび計時時間の入力を行なった計時デバイス３０が上下反転されて倒立状態にされたことを、加速度センサ３０３が検出する。倒立状態にされた計時デバイス３０は、例えばテーブル等に載置される。加速度センサ３０３からの入力に基づき、イベント発生判断部３３は、計時デバイス３０が倒立状態となったことを判断するとともに、計時開始されたことを判断する（ステップＡ２）。
【００９３】
ステータス管理部３７がメモリ３０９から演出モードおよび計時時間を読み出し、ＢＬＥ処理部３５が、これらの演出モードおよび計時時間を当該計時デバイス３０を特定する識別情報とともに、計時開始通知情報として管理サーバ１０に送信する（ステップＡ３）。
イベント発生判断部３３は、加速度センサ３０３からの入力を監視し、当該計時デバイス３０が正立状態に戻されたか否かを確認する（ステップＡ４）。
【００９４】
計時デバイス３０が正立状態でない場合には（ステップＡ４のＮＯルート参照）、ステップＡ４の処理を繰り返し行なう。そして、イベント発生判断部３３が計時デバイス３０が正立状態となったことを検知すると（ステップＡ４のＹＥＳルート参照）、ＢＬＥ処理部３５が、計時停止されたことを示す計時停止通知信号を、管理サーバ１０に対して無線送信して（ステップＡ５）、処理を終了する。
【００９５】
次に、第１実施形態の一例としての環境制御システム１の管理サーバ１０における処理を図８に示すフローチャート（ステップＢ１〜Ｂ７）に従って説明する。
管理サーバ１０において、受信部１０１が計時デバイス３０から通知情報として送信された、演出モード，計時時間および計時デバイス３０の識別情報を受信する（ステップＢ１）。
【００９６】
演出管理部１０３は、計時開始通知信号として受信した演出モードおよび計時時間に対応する演出データを、演出データ格納部１０８に格納された複数の演出データの中から選択して読み出す（ステップＢ２）。タイマ１０２が計時を開始する（ステップＢ３）。
機器管理部１１０は、受信部１０１が受信した計時開始通知信号の送信元の計時デバイス３０に対応する照明機器２１，空調機器２４，プロジェクタ２２および音響機器２３を確認し、演出制御部１０９に通知する。
【００９７】
演出制御部１０９は、演出データ格納部１０８から読み出された演出データを用いて、部屋２に備えられた、照明機器２１，プロジェクタ２２，音響機器２３および空調機器２４に対する制御を行なう（ステップＢ４）。なお、演出制御部１０９は、計時時間幅内で、所定の装置に対して演出データに従って複数回送信する各制御信号の種類および送信タイミングの制御を行なう。
【００９８】
すなわち、空調制御部１０６は、機器管理部１１０から通知された空調機器２４に対して、演出管理部１０３から取得した演出データの空調制御情報を送信することで、この調機器２４を制御する。
同様に、照明制御部１０４は、機器管理部１１０から通知された照明機器２１に対して、演出管理部１０３から取得した演出データの照明制御情報を用いて照明機器２１の明るさや色合いを制御して点灯させる。
【００９９】
また、コンテンツ再生部１０５は、機器管理部１１０から通知されたプロジェクタ２２に対して、演出管理部１０３から取得した演出データのプロジェクタ制御情報を用いて映像データを通知し再生（投影）させる。
さらに、コンテンツ再生部１０５は、機器管理部１１０から通知された音響機器２３に対して、演出管理部１０３から取得した演出データの音響制御情報を用いて音声データを通知し再生させる。
【０１００】
演出制御部１０９は、タイマ１０２からの入力を監視し、計時時間が経過した否かを確認する（ステップＢ５）。計時時間が経過していない場合には（ステップＢ５のＮＯルート参照）、ステップＢ６に移行する。
ステップＢ６においては、演出制御部１０９は、受信部１０１が、計時デバイス３０から計時停止通知信号を受信したか否かを確認する。確認の結果、計時停止通知信号を受信していない場合には（ステップＢ６のＮＯルート参照）、ステップＢ５に戻る。
【０１０１】
一方、計時時間が経過した場合（ステップＢ５のＹＥＳルート参照）、および受信部１０１が計時デバイス３０から計時停止通知信号を受信した場合には（ステップＢ６のＹＥＳルート参照）、演出制御部１０９は、制御対象機器の制御を停止して（演出停止；ステップＢ７）、処理を終了する。
（１−３）効果
このように、第１実施形態の一例としての環境制御システム１によれば、利用者により、希望する演出モードと計時時間とが入力され、倒立状態にされた計時デバイス３０が、管理サーバ１０に対して計時開始通知信号を送信する。
【０１０２】
管理サーバ１０においては、演出制御部１０９が、受信した計時開始通知信号に基づいて選択された演出データを用いて、部屋２の制御対象機器を演出モードに応じて機能させる。これにより、部屋２の環境を容易に設定することができ、利便性が高い。
また、演出制御部１０９が、計時時間に応じて予め備えられた演出データ（動作制御シナリオ）に従って、部屋２の制御対象機器に対して、時間経過に応じた制御の切り換えを行なう。これにより、部屋２において制御対象機器を用いた演出を利用者に対して提供することができ、利用者が部屋２を効率的に用いることができる。
【０１０３】
利用者は、演出モードと計時時間の入力だけを行なえばよく、その後、計時デバイス３０を上下反転させて倒立状態にするだけで、計時デバイス３０から管理サーバ１０に対して通知情報が送信されるので、簡単な操作で部屋２の環境設定を行なうことができる。例えば、小さな子供等の複雑な操作が困難な者であっても容易に操作することができる。また、言語種類に依存せずに操作を行なうことができ利便性が高い。
【０１０４】
また、計時デバイス３０において第１容器３０１ａおよび第２容器３０１ｂが砂３１０を内蔵した砂時計を構成している。これにより、利用者は、計時デバイス３０を倒立状態にしてからの経過時間を視認により容易に把握することができる。
さらに、計時デバイス３０は計時開始通知信号に、計時デバイス３０固有の識別情報を含めて送信することで、計時開示通知信号を送信した計時デバイス３０を特定することができる。これにより、この計時デバイス３０が設置された部屋２、すなわち、環境制御を行なう部屋２を容易に特定することができる。
【０１０５】
従って、環境制御を行なう対象の部屋２が複数ある場合であっても、各部屋２の環境を容易に制御することができる。
（２）第２実施形態
図９は第２実施形態の一例としての環境制御システム１の構成を模式的に示す図である。
【０１０６】
（２−１）構成
第２実施形態の一例として環境制御システム１は、図９に示すように、部屋管理システム４０と通信可能に接続されるとともに、第１実施形態の環境制御システム１に加えて、スケジュール連携部１１１を備える。なお、その他の部分は第１実施形態の環境制御システム１と同様に構成されている。また、図中、既述の符号と同一の符号は同様の部分を示しているので、その説明は省略する。
【０１０７】
部屋管理システム４０は、複数の部屋２の使用状況を管理するシステムである。部屋管理システム４０は、各部屋２が使用中であるか否かを管理するとともに、各部屋２の将来の利用予約の有無を管理する。
例えば、部屋管理システム４０は、各部屋２について、“使用中”もしくは“未使用”のいずれかの状態を示す情報を管理する。
【０１０８】
また、部屋管理システム４０は、各部屋２について、“使用中”もしくは“未使用”の状態を示す情報を、部屋２の状態の確認を希望する利用者に提示する。
利用者は、例えば、利用を希望する部屋２について、この部屋管理システム４０に問合せを行なうことで、希望する部屋２が“使用中”もしくは“未使用”のいずれの状態であるか知ることができる。
【０１０９】
また、部屋管理システム４０は各部屋２の予約管理機能もそなえており、利用者は、利用を希望する部屋２について、その利用希望日時を入力することで、希望する部屋２の利用予約等を行なうことができる。
例えば、利用者が部屋２を利用するためには、部屋管理システム４０によって予め使用を希望する日時に対して部屋２を予約する。
【０１１０】
このように、部屋管理システム４０は、制御対象機器が配置された部屋（施設）２が使用中であるか否かの状態を管理する制御部として機能する。
そして、利用者は、部屋２を使用するタイミングで、部屋管理システム４０において、部屋２について使用中を示す状態に変更するための入力を行なう。
その後、利用者は、部屋２の使用が終了したタイミングで、部屋管理システム４０において、部屋２について未使用を示す状態に変更するための入力を行なう。
【０１１１】
スケジュール連携部１１１は、本環境制御システム１と部屋管理システム４０との連携を行なう。
具体的には、スケジュール連携部１１１は、受信部１０１が計時デバイス３０から計時開始通知信号を受信すると、部屋管理システム４０に対して、その計時デバイス３０が配置された部屋２の使用状況を“使用中”である旨を示す状態に更新する指示を送信する。
【０１１２】
この更新指示を受信した部屋管理システム４０は、当該部屋２の使用状況を“使用中”に更新する。
また、スケジュール連携部１１１は、倒立状態であった計時デバイス３０から計時停止通知信号を受信すると、部屋管理システム４０に対して、その計時デバイス３０が配置された部屋２の使用状況を“未使用”である旨を示す状態に更新する指示を送信する。
【０１１３】
この更新指示を受信した部屋管理システム４０は、当該部屋２の使用状況を“未使用”に更新する。
なお、部屋管理システム４０について、外部（本環境制御システム１のスケジュール連携部１１１）から、部屋２の使用状況を“使用中”もしくは“未使用”に変更することは、既知の種々の手法を用いて実現することができ、その詳細な説明は省略する。
【０１１４】
第１実施形態において示したように、本環境制御システム１においては、正立状態の計時デバイス３０を上下反転させて倒立状態にすることが計時開始を意味する入力操作に相当する。
（２−２）動作
上述の如く構成された第２実施形態の一例としての環境制御システム１において、部屋２の利用者による入力スイッチ３０５の操作を受け付けることで、計時デバイス３０の演出モードと計時時間との入力を受け付ける。また、この際、ＬＥＤ処理部３６は、入力された演出モードおよび計時時間に応じてＬＥＤ３０４を点灯させる。
【０１１５】
利用者により、演出モードおよび計時時間の入力を行なった計時デバイス３０が上下反転されて倒立状態にされたことを、イベント発生判断部３３が検出する。倒立状態にされた計時デバイス３０は、例えばテーブル等に載置される。イベント発生判断部３３が計時デバイス３０が正立状態となったことを検知すると、ＢＬＥ処理部３５が、計時停止されたことを示す計時停止通知信号を、管理サーバ１０に対して無線送信する。
【０１１６】
管理サーバ１０においては、受信部１０１が計時デバイス３０から計時停止通知信号として送信された、演出モード，計時時間および計時デバイス３０の識別情報を受信する。そして、演出管理部１０３が、計時開始通知信号として受信した演出モードに対応する演出データを、演出データ格納部１０８に格納された複数の演出データの中から選択して読み出す。
【０１１７】
機器管理部１１０は、受信部１０１が受信した計時開始通知信号の送信元の計時デバイス３０に対応する照明機器２１，空調機器２４，プロジェクタ２２および音響機器２３を確認し、演出制御部１０９に通知する。
演出制御部１０９は、演出データ格納部１０８から読み出された演出データを用いて、部屋２に備えられた、照明機器２１，プロジェクタ２２，音響機器２３および空調機器２４に対する制御を行なう。
【０１１８】
また、スケジュール連携部１１１は、受信部１０１が計時デバイス３０から計時停止通知信号を受信すると、部屋管理システム４０に対して、その計時デバイス３０が配置された部屋２の使用状況を“使用中”である旨を示す状態に更新する指示を送信する。
この更新指示を受信した部屋管理システム４０は、当該部屋２の使用状況を“使用中”に更新する。
【０１１９】
その後、受信部１０１が計時デバイス３０から計時停止通知信号を受信した場合には、演出制御部１０９は、制御対象機器の制御を停止する。また、スケジュール連携部１１１は、倒立状態であった計時デバイス３０から計時停止通知信号を受信すると、部屋管理システム４０に対して、その計時デバイス３０が配置された部屋２の使用状況を“未使用”である旨を示す状態に更新する指示を送信する。
【０１２０】
この更新指示を受信した部屋管理システム４０は、当該部屋２の使用状況を“未使用”に更新する。
（２−３）効果
このように、第２実施形態の一例としての環境制御システム１によれば、部屋２において利用者により計時デバイス３０が倒立状態にされ、計時デバイス３０から計時開始通知信号が送信されると、スケジュール連携部１１１が部屋管理システム４０に対して、その計時デバイス３０が配置された部屋２の使用状況を“使用中”である旨を示す状態に更新する指示を送信する。
【０１２１】
この更新指示を受信した部屋管理システム４０は、当該部屋２の使用状況を“使用中”に更新する。
また、その後、部屋２において利用者が計時デバイス３０を正立状態にし、計時デバイス３０から計終了通知信号が送信されると、スケジュール連携部１１１が部屋管理システム４０に対して、その計時デバイス３０が配置された部屋２の使用状況を“未使用”である旨を示す状態に更新する指示を送信する。
【０１２２】
この更新指示を受信した部屋管理システム４０は、当該部屋２の使用状況を“未使用”に更新する。
このように、第２実施形態の一例としての環境制御システム１によれば、第１実施形態と同様の作用効果を奏する他、更に以下の効果を奏する。
すなわち、部屋２の利用者が計時デバイス３０を倒立状態にするだけで、スケジュール連携部１１１が、部屋管理システム４０に対して、その計時デバイス３０が配置された部屋２の使用状況を“使用中”である旨を示す状態に更新させる。
【０１２３】
また、その後、部屋２の利用者が計時デバイス３０を正立状態にするだけで、スケジュール連携部１１１が、部屋管理システム４０に対して、その計時デバイス３０が配置された部屋２の使用状況を“未使用”である旨を示す状態に更新させる。
これらにより、部屋２の利用者が部屋管理システム４０において、各部屋２について、“使用中”を示す状態に変更するための入力および、“未使用”を示す状態に変更するための入力を行なう必要がない。
【０１２４】
これにより利用者の利便性が向上する。また、部屋管理システム４０において管理される部屋２の状態を部屋２の利用状況に応じて迅速に更新することができる。これにより、部屋管理システム４０において、部屋２が使用されていない状態になると、迅速に“未使用”状態が設定され、部屋２を有効に利用することができる。
また、部屋管理システム４０において、利用者が部屋２を予約しているにもかかわらず使用しない、所謂「空予約」を阻止することができ、これによっても部屋２を有効に使用することができる。
【０１２５】
（３）その他
そして、本発明は上述した各実施形態に限定されるものではなく、本発明の趣旨を逸脱しない範囲で種々変形して実施することができる。
例えば、部屋２に、制御対象機器として照明機器２１，プロジェクタ２２，音響機器２３，空調機器２４がそなえられ、演出制御部１０９がこれらの機器を制御しているが、これに限定されるものではない。例えば、部屋２にアロマディフューザ等の他の電子機器を備え、演出制御部１０９がこれらの電子機器を制御してもよい。
【０１２６】
また、計時デバイス３０においては、例えば、液晶式のタッチパネルを備え、このタッチパネルが入力スイッチ３０５とＬＥＤ３０４としての機能の少なくとも一部を実現してもよい。また、計時デバイス３０は、図２等に示した形状以外でも、計時開始または終了の指示信号、さらに望ましくは、演出モードや計時時間の情報を管理サーバ１０に送信できるものであれば適用可能である。例えば、計時デバイス３０を人形のような形状とし、人形に対して、握手する、押す、なでる、抱き上げて再び置く、等の所定の操作が行なわれたことを検出した場合に、計時開始の指示信号を送信するようにしてもよい。また、人形に対する操作の違いにより、演出モードや計時時間の入力を受け付けるようにしてもよい。
【０１２７】
さらに、上述した各実施形態においては、計時デバイス３０と管理サーバ１０とがＢＬＥによる無線通信により接続された例を示しているが、これに限定されるものではない。計時デバイス３０と管理サーバ１０とは、例えば、Bluetooth（登録商標）やWIFI（Wireless Fidelity：登録商標）等の他の無線通信手法により接続されてもよく、種々変形して実施することができる。
【０１２８】
また、上述した開示により本実施形態を当業者によって実施・製造することが可能である。
（４）付記
（付記１）
自装置の上下反転を検知する検知部と
前記検知部による前記検知がなされた場合に、自装置の識別情報または、自装置が上下反転された時点から計時する時間幅を特定する情報を含む所定の信号を無線送信する無線送信部と
を有する、上下反転された時点からの時間経過の度合いを現示する計時デバイスと、
前記所定の信号を受信する受信部と、
前記受信部が受信した前記所定の信号により、前記計時デバイスが動作状態に変化したと判断される場合に、前記計時デバイスとは異なる所定の装置に対して、前記所定の信号により特定される制御シナリオに応じた制御信号の送信を開始し、前記受信部が受信した前記所定の信号により、前記計時デバイスが非動作状態に変化したと判断される場合に、前記所定の装置に対する制御の終了を示す信号を送信する送信部と
を有するコンピュータと、
を有することを特徴とする、制御システム。
【０１２９】
（付記２）
前記所定の装置は、少なくとも、前記デバイスが配置されている空間に対する空調機器、音響機器、照明機器のいずれかであることを特徴とする、付記１記載の制御システム。
（付記３）
前記所定の装置は、前記デバイスが配置されている空間に対する空調機器、音響機器、照明機器のうちの２以上の機器であることを特徴とする、付記１又は２記載の制御システム。
【０１３０】
（付記４）
前記計時デバイスは、粉粒体または液体を用いて前記時間経過の度合いを現示することを特徴とする、付記１〜３のいずれか１項に記載の制御システム。
（付記５）
前記無線送信部が送信する前記信号は、前記計時デバイスの識別子であり、
前記コンピュータの送信部は、前記受信部が受信した前記計時デバイスの識別子と対応付けて記憶している１以上の前記所定の装置に対して、前記制御信号の送信を開始することを特徴とする、付記１〜４のいずれか１項に記載の制御システム。
【０１３１】
（付記６）
前記無線送信部が送信する前記所定の信号は、制御シナリオを特定可能な情報を含み、
前記コンピュータの送信部は、前記受信部が受信した前記所定の信号に基づいて特定した、前記コンピュータに記憶されている複数の制御シナリオのうちのいずれかの制御シナリオに応じた前記制御信号の送信を開始することを特徴とする、付記１〜５のいずれか１項に記載の制御システム。
【０１３２】
（付記７）
前記コンピュータはさらに、所定の装置が配置された施設が使用中であるか否かの状態を管理する制御部を有し、前記受信部が受信した前記所定の信号により、前記計時デバイスが動作状態に変化したと判断される場合に、前記施設の状態を、使用中である旨を示す状態に更新することを特徴とする、付記１〜６のいずれか１項に記載の制御システム。
【０１３３】
（付記８）
前記受信部が受信した前記所定の信号により、前記計時デバイスが非動作状態に変化したと判断される場合に、前記施設の状態を、未使用である旨を示す状態に更新することを特徴とする、付記７記載の制御システム。
（付記９）
上下反転された時点からの時間経過の度合いを現示する計時デバイスにおいて、
前記計時デバイスの上下反転を検知する検知部と、
前記検知部による前記検知がなされた場合に、前記計時デバイスの識別情報または、該計時デバイスが上下反転された時点から計時する時間幅を特定する信号を無線送信する無線送信部と、
を有することを特徴とする、計時デバイス。
【０１３４】
（付記１０）
上下反転された時点からの時間経過の度合いを現示する計時デバイスにおいて、
前記計時デバイスの上下反転を検知する検知部と、
前記検知部による前記検知がなされた場合に、所定の装置に対する動作制御を行なう制御装置に対して、動作制御の開始を促す信号を無線送信する無線送信部と、
を有することを特徴とする、計時デバイス。
【０１３５】
（付記１１）
前記計時デバイスは、粉粒体または液体を用いて前記時間経過の度合いを現示することを特徴とする、付記９又は１０記載の計時デバイス。
（付記１２）
前記検知部は重力方向を検知する加速度センサを備えることを特徴とする、付記９〜１１のいずれか１項に記載の計時デバイス。
【０１３６】
（付記１３）
前記検知部によって、前記計時デバイスの更なる上下反転が検知されると、前記無線送信部は、前記信号と同一の信号、または異なる第二の所定の信号を送信することを特徴とする、付記９〜１２のいずれか１項に記載の計時デバイス。
（付記１４）
計時デバイスから計時の開始に応じて送信される信号を受信し、
時間幅に対応づけて動作制御シナリオを記憶する記憶部を参照して、受信した前記信号に基づいて特定された時間幅に応じた動作制御シナリオを特定し、
特定した前記動作制御シナリオに従って、所定の装置に対して前記時間幅内で複数回送信する各制御信号の種類および送信タイミングを制御する、
ことを特徴とするコンピュータにおける処理方法。
【０１３７】
（付記１５）
前記コンピュータはさらに、所定の装置が配置された施設が使用中であるか否かの状態を管理し、
前記信号の受信に応じて、前記施設の状態を、使用中である旨を示す状態に更新することを特徴とする、付記１４記載の処理方法。
【０１３８】
（付記１６）
前記計時の開始に応じて送信される信号は、時間幅を特定する情報を含むことを特徴とする、付記１４又は１５記載の処理方法。
【符号の説明】
【０１３９】
１    環境制御システム
２    部屋
１０    管理サーバ
１１    プロセッサ（処理部）
１２    ＲＡＭ（記憶部）
１３    ＨＤＤ（記憶部）
１４    グラフィック処理装置
１４ａ    モニタ（表示部）
１５    入力インタフェース
１５ａ    キーボード（入力部）
１５ｂ    マウス（入力部）
１６    光学ドライブ装置
１６ａ    光ディスク
１７    機器接続インタフェース
１７ａ    メモリ装置
１７ｂ    メモリリーダライタ
１７ｃ    メモリカード
１８    ネットワークインタフェース
１９    ＢＬＥモジュール
２０    バス
１０１    受信部
１０２    タイマ
１０３    演出管理部
１０４    照明制御部
１０５    コンテンツ再生部
１０６    空調制御部
１０７    中継部
１０８    演出データ格納部
１０９    演出制御部
１１０    機器管理部
２１    照明機器
２２    プロジェクタ
２２ａ    スクリーン
２３    音響機器
２４    空調機器
３０    計時デバイス
３１    加速度センサ判断部
３２    入力判断部
３３    イベント発生判断部
３４    計時処理部
３５    ＢＬＥ処理部
３６    ＬＥＤ処理部
３７    ステータス管理部
３０１ａ    第１容器
３０１ｂ    第２容器
３０２    カバー
３０３    加速度センサ
３０４    ＬＥＤ
３０５    入力スイッチ
３０６    流量調節部
３０７    マイコン部
３０８    ＢＬＥモジュール
３０９    メモリ
３１０    砂
４０    部屋管理システム
【図１】
0006534576.tif 000002
【図２】
0006534576.tif 000003
【図３】
0006534576.tif 000004
【図４】
0006534576.tif 000005
【図５】
0006534576.tif 000006
【図６】
0006534576.tif 000007
【図７】
0006534576.tif 000008
【図８】
0006534576.tif 000009
【図９】
0006534576.tif 000010